(57)【要約】【課題】屋根施工の前に直接野地板に取り付けることができ、各種の建物や各種形状の樋に対応できるとともに、雨水を確実に樋の中に案内できるように水切り部材を設置すること。【解決手段】基端側が野地板１１の上面に沿って取り付けられる第１部材５１ａと、第１部材５１ａに蝶番５１ｃを介して取り付けられ、先端側に取付部５１ｄを有する第２部材５１ｂとを具備する角度調整部材５１と、角度調整部材５１の取付部５１ｄに鉛直方向に沿って調整可能に取り付けられるブラケット５２と、ブラケット５２に対し、破風部材１４から離間する方向に延設されるとともに、その延設方向に沿って移動可能に取り付けられ、軒樋２０の前縁係合部２２と後縁係合部２３とを係止可能な前縁係止部５３ａ、後縁係止部５３ｂを有する支持アーム５３とを備えている。【選択図】図１
2009150089.tif 000002
【特許請求の範囲】
【請求項１】
上下方向に設置された破風部材に支持された野地板に軒樋を取り付けるための軒樋用吊り具において、
基端側が前記野地板の上面に沿って取り付けられる第１部材と、この第１部材に蝶番を介して取り付けられ、先端側に取付部を有する第２部材とを具備する角度調整部材と、
この角度調整部材の取付部に鉛直方向に沿って調整可能に取り付けられるブラケットと、
このブラケットに対し、前記破風部材から離間する方向に延設されるとともに、その延設方向に沿って移動可能に取り付けられ、軒樋の前縁と後縁とを係止可能な係止部を有する支持アームとを備えていることを特徴とする軒樋用吊り具。
【請求項２】
前記蝶番は、任意の角度位置で固定されるものであることを特徴とする請求項１に記載の軒樋用吊り具。
【請求項３】
前記蝶番は、予め決められた複数の角度位置で固定されるものであることを特徴とする請求項１に記載の軒樋用吊り具。
【請求項４】
上下方向に設置された破風部材と、
この破風部材の上部に設けられた野地板と、
この野地板の上部に設けられた屋根仕上材と、
その上端側を前記野地板と前記屋根仕上材との間に配置され、その下端側を軒先に向けて突出させて配置された水切り部材と、
前記破風部材の外壁側に配置された軒樋と、
前記野地板の軒先側に取り付けられ、前記軒樋を支持する軒樋用吊り具を具備し、
前記軒樋用吊り具は、基端側が前記野地板の上面に沿って取り付けられる第１部材と、この第１部材に蝶番を介して取り付けられ、先端側に取付部を有する第２部材とを具備する角度調整部材と、
この角度調整部材の取付部に鉛直方向に沿って調整可能に取り付けられるブラケットと、
このブラケットに対し、前記破風部材から離間する方向に延設されるとともに、その延設方向に沿って移動可能に取り付けられ、軒樋の前縁と後縁とを係止可能な係止部を有する支持アームとを備えていることを特徴とする軒先構造。
【請求項５】
前記軒樋用吊り具は、前記野地板を下方から支持する破風部材に固定されていることを特徴とする請求項４に記載の軒先構造。
【請求項６】
前記係合部材は、前記野地板の先端に合わせて屈曲し、前記野地板に係合する屈曲部が設けられていることを特徴とする請求項４に記載の軒先構造。
【請求項７】
前記蝶番は、任意の角度位置で固定されるものであることを特徴とする請求項４に記載の軒先構造。
【請求項８】
前記蝶番は、予め決められた複数の角度位置で固定されるものであることを特徴とする請求項４に記載の軒先構造。
【発明の詳細な説明】
【技術分野】
【０００１】
本発明は、建物の屋根の軒先に用いられる軒樋用吊り具及び軒先構造に関する。
【背景技術】
【０００２】
例えば建物の屋根の軒先には、該軒先に沿って伸び、瓦のような屋根仕上材から流れ落ちる雨水を受けるための軒樋が取り付けられている。また、軒先には、屋根仕上材から軒樋に流れ落ちる雨水が野地板の上の屋根下地材の軒先端部に付着することを防止するための水切り部材が設けられている。水切り部材は、軒先に沿って伸びる板状をなし、該水切り部材は屋根仕上材及び野地板間から軒樋内に向けて野地板の軒先端部を覆うように垂れ下がっている。屋根仕上材から流れ落ちる雨水の一部が水切り部材により軒樋に向けて案内されるので、屋根仕上材から流れ落ちる雨水が野地板に付着することが防止される。これにより、雨水が野地板に付着することによる野地板の腐食を防止することができる。
【０００３】
軒樋用吊り具は、軒樋の位置を野地板や破風部材との位置に合わせるため、微調整が可能になっている（例えば、特許文献１，２参照）。
【特許文献１】特開平８−６０８２２号公報
【特許文献２】特開平７−２１７１２５号公報
【発明の開示】
【発明が解決しようとする課題】
【０００４】
上述した軒樋用吊り具では、次のような問題があった。すなわち、軒樋用吊り具は、屋根勾配、破風の角度、屋根材の種類や形によって、様々な種類が必要であるため、製造・流通・施工の各段階で在庫・ロス数が多くなる。
【０００５】
屋根、破風の施工後、直接破風に取り付けることが一般的であるため、屋根材の種類や屋根施工の職人により屋根材の軒先の出寸法に違いがあり、雨水を全て雨樋で受けることができないことがある。また、屋根施工時に軒先に水切り部材を取り付けるため軒樋用吊り具は水切り部材より下位に破風に取り付けなければならないため、雨水が風等により飛散し、破風にあたり汚れるという問題もあった。
【０００６】
そこで本発明は、屋根施工の前に直接野地板に取り付けることができ、各種の建物や各種形状の樋に対応できるとともに、雨水を確実に樋の中に案内できるように水切り部材を設置できる軒樋用吊り具及びこの軒樋用吊り具を用いた軒先構造を提供することを目的としている。
【課題を解決するための手段】
【０００７】
前記課題を解決し目的を達成するために、本発明の軒樋用吊り具及び軒先構造は次のように構成されている。
【０００８】
（１）上下方向に設置された破風部材に支持された野地板に軒樋を取り付けるための軒樋用吊り具において、基端側が前記野地板の上面に沿って取り付けられる第１部材と、この第１部材に蝶番を介して取り付けられ、先端側に取付部を有する第２部材とを具備する角度調整部材と、この角度調整部材の取付部に鉛直方向に沿って調整可能に取り付けられるブラケットと、このブラケットに対し、前記破風部材から離間する方向に延設されたるとともに、その延設方向に沿って移動可能に取り付けられ、軒樋の前縁と後縁とを係止可能な係止部を有する支持アームとを備えていることを特徴とする。
【０００９】
（２）上下方向に設置された破風部材と、この破風部材の上部に設けられた野地板と、この野地板の上部に設けられた屋根仕上材と、その上端側を前記野地板と前記屋根仕上材との間に配置され、その下端側を軒先に向けて突出させて配置された水切り部材と、前記破風部材の外壁側に配置された軒樋と、前記野地板の軒先側に取り付けられ、前記軒樋を支持する軒樋用吊り具を具備し、前記軒樋用吊り具は、基端側が前記野地板の上面に沿って取り付けられる第１部材と、この第１部材に蝶番を介して取り付けられ、先端側に取付部を有する第２部材とを具備する角度調整部材と、この角度調整部材の取付部に鉛直方向に沿って調整可能に取り付けられるブラケットと、このブラケットに対し、前記破風部材から離間する方向に延設されるとともに、その延設方向に沿って移動可能に取り付けられ、軒樋の前縁と後縁とを係止可能な係止部を有する支持アームとを備えていることを特徴とする。
【発明の効果】
【００１０】
本発明によれば、屋根施工の前に直接野地板に取り付けることができ、各種の建物や各種形状の樋に対応できるとともに、雨水を確実に樋の中に案内できるように水切り部材を設置することが可能となる。
【発明を実施するための最良の形態】
【００１１】
図１は本発明の第１の実施の形態に係る軒樋用吊り具５０が適用された軒先構造１０を示す断面図である。
【００１２】
軒先構造１０は、家屋の上部の傾斜面に設置された野地板１１と、この野地板１１の表面を被覆するアスファルトルーフィング等の防水層１２と、これらの上部に設けられた瓦や折板などの屋根仕上材１３と、家屋の破風部材１４とによって主に家屋側が構成されている。
【００１３】
野地板１１の軒先には、後述する軒樋２０を屋根先端部付近に設置させるための軒樋用吊り具５０が、屋根先端部の水平延設方向（図１の図面奥行き方向）に間隔を置いて複数取り付けられており、その軒樋用吊具５０に軒樋２０を取り付けて支持させる。
【００１４】
軒樋２０は、図１に示すように、断面凹状に形成された樋本体２１と、樋本体２１の前縁に形成された前縁係合部２２と、後縁に形成された後縁係合部２３とを備え、前縁係合部２２が軒樋用吊り具５０の前縁係止部５３ａ、後縁係止部５３ｂが軒樋用吊り具５０の後縁係止部５３を介して破風部材１４に支持されている。
【００１５】
野地板１１の先端からこの軒樋２０に向けてアルミ板、鋼板、樹脂材等によって形成された水切り材３０が、野地板１１の先端や破風部材１４の上部を覆うように配置されている。水切り部材３０は、雨水の跳ね返り及び舞い上がりを防止するとともに、外側からの美観を保持するための飾り部材としての機能も有している。水切り部材３０の下端３１は、水切あおられ防止金具４０の先端部４３に係合され、下端３１のがたつきが防止されている。
【００１６】
水切あおられ防止金具４０は、短冊状の板金製で、野地板１１に固定される固定部４１と、野地板１１の端部に係合する屈曲部４２と、軒先に沿って延びる先端部４３とが一体に形成されている。
【００１７】
軒樋用吊り具５０は、野地板１１に取り付けるための角度調整部材５１と、この角度調整部材５１の取付部５１ｄに鉛直方向に沿って調整可能に取り付けられるブラケット５２と、このブラケット５２に対し、破風部材１４から離間する方向に延設されるとともに、その延設方向に沿って移動可能に取り付けられ、軒樋２０の前縁係合部２２と後縁係合部２３とを係止可能な前縁係止部５３ａと後縁係止部５３ｂを有する支持アーム５３とを備えていることを特徴とする。
【００１８】
角度調整部材５１は、板状に形成された第１部材５１ａ及び第２部材５１ｂを備えており、第１部材５１ａは基端側が前記野地板の上面に沿って取り付けられ、その先端側が蝶番５１ｃを介して第２部材５１ｂに角度調整可能に取り付けられている。第２部材５１ｂには取付孔５１ｄが設けられている。
【００１９】
ブラケット５２は側面視でＬ字状に形成され、鉛直方向に延設された第１支持部５２ａと、水平方向に延設された第２支持部５２ｂとを備えている。第１支持部５２ａには、鉛直方向に長孔５２ｃが設けられており、取付孔５１ｄとの相対位置を調整してボルト・ナット５２ｄで固定できる。
【００２０】
支持アーム５３には、破風部材１４に対して垂直方向に長孔５３ｃが形成され、この長孔５３ｃに沿って往復動自在に第２支持部５２ｂが設けられ、ボルト・ナットで５２ｅで任意の位置に固定できる。
【００２１】
このように構成された軒樋用吊り具５０を有する軒先構造１０では、次のように軒樋２０及び水切り部材３０の固定を行う。まず、野地板１１に角度調整部材５１の第１部材５１ａを水切り部材３０、防水層１２と共にボルトＢ等で固定する。
【００２２】
一方、水切あおられ防止金具４０を軒樋用吊り具５０とは、図中奥行き方向に離間して野地板１１上に取り付ける。このとき、屈曲部４２が野地板１１の先端に係合するように位置合わせする。次に、水切り部材３０の先端を水切あおられ防止金具４０の先端部４３に係止する。
【００２３】
次に、角度調整部材５１の蝶番５１ｃを回動させて第２部材５１ｂが鉛直方向となるような位置で固定する（角度位置調整）。蝶番５１ｃは任意の位置で固定できるものを用いても良いし、数段階の固定位置で固定できるものを用いても良い。
【００２４】
次に、角度調整部材５１の第２部材５１ｂの取付孔５１ｄとブラケット５２の第１支持部５２ａの長孔５２ｃとを合わせ、ボルト・ナット５２ｄで固定する（鉛直位置調整）。さらに、ブラケット５２の第２支持部５２ｂと支持アーム５３の長孔５３ｃとを合わせ、ボルト・ナットで５２ｅで固定する（水平位置調整）。これらの固定位置は、水切り部材３０の先端位置が軒樋２０の後方最上部の高さより下方となるように調整する。
【００２５】
そして、支持アーム５３の後縁係止部５３ｂをビスＤで破風部材１４にビス止めする。
【００２６】
最後に、軒樋２０の前縁係合部２２及び後縁係合部２３を支持アーム５３の前縁係止部５３ａ及び後縁係止部５３ｂに係止して取り付ける。
【００２７】
上述したように軒樋用吊り具５０を有する軒先構造１０では、角度位置調整機能、鉛直位置調整機能、水平位置調整機能を備えている。すなわち、野地板１１の勾配・破風部材１４の仕様に対応するための角度位置調整、水勾配をとるための鉛直位置調整、屋根材１３の軒の突出量に対応するための水平位置調整を行う機能を有しているため、屋根施工の前に直接野地板１１に取り付けることができ、各種の建物や各種形状の軒樋２０に対応できるとともに、雨水を確実に軒樋２０の中に案内できるように水切り部材３０を設置することが可能となる。このため、強風時の雨水の吹き込みを防止することができる。
【００２８】
なお、水切あおられ防止金具４０を用いずに、水切り部材３０の先端を軒樋用吊り具５０の一部に固定するようにしてもよい。
【００２９】
また、家屋の施工業者、屋根の施工業者、雨樋の施工業者は一般的に異なり、別日程で施工を行うため、屋根の施工業者が屋根材１３を取り付ける前に家屋の施工業者が軒樋用吊り具５０を野地板１１に固定することができ、屋根材１３を取り付けた後、軒樋２０を取り付けることができるため、各施工業者の施工を独立して進めることができる。
【００３０】
図２は上述した水切あおられ防止金具４０の代わりに屈曲部４２を有していない水切りあおられ防止金具４０Ａを用いた例である。水切りあおられ防止金具４０Ａの強度によっては、屈曲部４２は不要としてもよい。
【００３１】
図３は上述した軒先構造１０の変形例を示す図である。本変形例においては、破風部材１４が鉛直方向ではなく、斜めに設置されている。このような軒先構造１０においても軒樋用吊り具５０を設置することが可能である。
【００３２】
図４は上述した水切りあおられ防止金具４０Ａを用いる代わりに、角度調整部材５１と一体に形成した例である。このように構成した場合でも同様の効果を得ることができる。
【００３３】
図５は本発明の第２の実施の形態に係る軒樋用吊り具５０Ａが適用された軒先構造１０Ａを示す断面図である。図５において図１と同一機能部分には同一符号を付し、その詳細な説明は省略する。
【００３４】
本実施の形態においては、角度調整部材５１の代わりに角度調整部材５１Ａを用いている。角度調整部材５１Ａは、数段階の固定位置で固定できる蝶番５１ｅを用いている。また、後縁係止部５３ｂと破風部材１４が固定されていない。
【００３５】
このように構成されている場合でも、上述した軒樋用吊り具５０が適用された軒先構造１０と同様の効果を得ることができるとともに、固定力が強固な蝶番５１を用いることで、後縁係止部５３ｂと破風部材１４との固定工程を省略することができる。
【００３６】
図６は本発明の第３の実施の形態に係る軒樋用吊り具５０Ｂが適用された軒先構造１０Ｂを示す断面図である。図６において図１と同一機能部分には同一符号を付し、その詳細な説明は省略する。
【００３７】
図６に示すように異なる形状の軒樋２０Ａを用いる場合は、支持アーム５３を軒樋２０Ａに合う支持アーム５３に取り替えれば良いため、設計や部品選択の自由度が大きくなる。
【００３８】
図７は上述した各実施の形態の変形例を示す図である。本変形例では、角度調整部材５１と水切あおられ防止金具４０とをビス止めしたものである。本変形例においても、上述した各実施の形態と同様の効果を得ることができる。
【００３９】
なお、本発明は前記実施の形態に限定されるものではなく、本発明の要旨を逸脱しない範囲で種々変形実施可能であるのは勿論である。
【図面の簡単な説明】
【００４０】
【図１】本発明の第１の実施の形態に係る軒樋用吊り具が適用された軒先構造を示す断面図である。
【図２】同軒先構造の変形例を示す断面図。
【図３】同軒先構造の変形例を示す断面図。
【図４】同軒先構造の変形例を示す断面図。
【図５】本発明の第２の実施の形態に係る軒樋用吊り具が適用された軒先構造を示す断面図。
【図６】本発明の第３の実施の形態に係る軒樋用吊り具が適用された軒先構造を示す断面図。
【図７】変形例を示す断面図。
【符号の説明】
【００４１】
１０…軒先構造、１１…野地板、１４…破風部材、２０…軒樋、３０…水切り材、４０…水切あおられ防止金具、５０…軒樋用吊り具、５１…角度調整部材、５１ａ…第１部材、５１ｂ…第２部材、５１ｃ…蝶番、５２…ブラケット、５３…支持アーム、５３ａ…前縁係止部、５３ｂ…後縁係止部。
【図１】
2009150089.tif 000003
【図２】
2009150089.tif 000004
【図３】
2009150089.tif 000005
【図４】
2009150089.tif 000006
【図５】
2009150089.tif 000007
【図６】
2009150089.tif 000008
【図７】
2009150089.tif 000009